(57)【要約】【課題】複数の板が積層されているデッキにおける一部の板の取替えが可能であって利用者の個性を表現することができるのはもとより、破損の際に修理が容易であり、内蔵されているＬＥＤの取替えも容易であるスノーボードを提供する。【解決手段】本発明のスノーボードは、板状の有効エッジ部（１００）と、前記有効エッジ部（１００）の両端から延び、斜め上方に向けて傾斜するように設けられた末端部（２００）とを含んで本体Ａを構成し、前記本体（Ａ）は、ＬＥＤ（５０）が内蔵され、少なくとも一つの透明素材板を含む複数の板が積層結合されて形成されるが、前記複数の板は互いに結合および分離が可能であって、板またはＬＥＤ（５０）を容易に取り替えることができ、前記末端部（２００）の内部には発光効果のための空間（Ｓ）が設けられることを特徴とする。【選択図】図２
2015528735.tif 000002
【特許請求の範囲】
【請求項１】
板状の有効エッジ部（１００）と、前記有効エッジ部（１００）の両端から延び、斜め上方に向けて傾斜するように設けられた末端部（２００）とを含んで本体（Ａ）を構成し、前記本体（Ａ）は、ＬＥＤ（５０）が内蔵され、少なくとも一つの透明素材板を含む複数の板が積層結合されて形成され、
前記複数の板は互いに結合および分離が可能であって、板またはＬＥＤ（５０）を容易に取り替えることができ、
前記末端部（２００）の内部には発光効果のための空間（Ｓ）が設けられることを特徴とする、スノーボード。
【請求項２】
前記複数の板は、互いに対応して結合される面に凸凹構造が形成され、該凸凹構造によって前記複数の板が互いに結合および分離されることを特徴とする、請求項１に記載のスノーボード。
【請求項３】
前記複数の板のうち、最下板の縁部には結合枠（３１）が上方に突き出た状態に設けられ、残りの板が前記最下板によって取り囲まれて結合されることを特徴とする、請求項１に記載のスノーボード。
【請求項４】
前記末端部（２００）の内部の空間（Ｓ）は、複数の板のうち最上板と最下板との間にあるいずれか一つの板の末端部に空間が設けられてなることを特徴とする、請求項１に記載のスノーボード。
【請求項５】
前記末端部（２００）の空間（Ｓ）には、プラズマ発生器（２１１）と、該プラズマ発生器（２１１）から発生したプラズマが到達される避雷針（２１２）とを含んでなるプラズマ発生部（２１０）が備えられることを特徴とする、請求項１に記載のスノーボード。
【請求項６】
前記末端部（２００）の空間（Ｓ）には、複数のＬＥＤ（２２１）と、多角形に形成されて配列された複数の反射具（２２２）とを含んでなる光拡散部（２２０）が備えられ、前記ＬＥＤ（２２１）から発生した光は、前記反射具（２２２）に到達した後で乱反射されることを特徴とする、請求項１に記載のスノーボード。
【請求項７】
前記末端部（２００）の空間（Ｓ）には複数の光ファイバー（２３０）が含まれ、これにより光が発生することを特徴とする、請求項１に記載のスノーボード。
【請求項８】
前記本体（Ａ）の内部に補強フレームワーク（４０）が備えられることにより、耐久性が向上することを特徴とする、請求項１に記載のスノーボード。
【請求項９】
前記補強フレームワーク（４０）は、前記本体（Ａ）をなす複数の板のうち少なくとも一つの板に備えられるが、設置される板の内側縁部に沿って形成されると同時に、設置される板の有効エッジ部（１００）に長手方向および該長手方向と直交する方向に形成されることを特徴とする、請求項８に記載のスノーボード。
【請求項１０】
前記補強フレームワーク（４０）はジュラルミン（Ｄｕｒａｌｕｍｉｎ）素材からなることを特徴とする、請求項８に記載のスノーボード。
【請求項１１】
前記末端部（２００）の下面には下方に膨らむように突き出た状態に設けられた回転半球（２４０）が備えられ、前記回転半球（２４０）を軸として前記本体（Ａ）の回転が可能であることを特徴とする、請求項１に記載のスノーボード。
【請求項１２】
前記有効エッジ部（１００）の上面には、ブーツがセットされるビンディングを固定するビンディング固定部（１１０）が設けられ、
前記ビンディング固定部（１１０）には、外郭に沿ってＬＥＤが内蔵され且つ加圧センサーが含まれることにより、
利用者の荷重が前記加圧センサーに伝達されるときに前記ＬＥＤが発光することを特徴とする、請求項１に記載のスノーボード。
【発明の詳細な説明】
【技術分野】
【０００１】
本発明は、スノーボードに係り、特に、板の取替えが可能であって利用者の個性表現が可能であるうえ、破損の際に修理が容易であり、ＬＥＤが内蔵されて安定性および審美性が向上したスノーボードに関する。
【背景技術】
【０００２】
一般に、代表的な冬季スポーツにはスキー、スノーボード、スケートなどがある。その中でも、スノーボードは、１９６０年代に米国で冬季スポーツとして発展したが、韓国では、１９７０年代初からスノーボードに乗り始めて現在は多くの人々がスノーボードを楽しんでいる。
【０００３】
このようなスノーボードは、雪に覆われた山や丘などの斜面で利用者の足を操作することにより方向を切り換え、身体のバランスを保ちながらスピードを楽しむことができる装備である。上記スノーボードは、板状のデッキ、上記デッキの上面にブーツを固定するためのビンディング、およびブーツなどから構成されている。中でも、デッキは、回転や重さなどによって細分化され、アルパインスタイル、フリースタイル、オールラウンドスタイルに分けられる。
【０００４】
また、デッキは、多重の様々な素材からなる板が積層結合されて形成され、その素材として木材や合成樹脂などが使用されている。利用者は、自分の個性を演出するために、様々な模様および色相に製作されたデッキを購買して使用している。
【０００５】
ところが、現在市中に販売されているデッキは複数の板が積層された状態で緊密に接着されているので、デッキの一部が破損した場合、デッキ全体を再び購入しなければならないため、多くの費用がかかる。また、利用者が多様な個性を表現するためには、様々な種類のデッキを購入して使用しなければならない。
【０００６】
一方、スノーボードを楽しむ利用者の安全性を保障するために、発光手段付きスノーボードが特許文献１（以下、引用発明という。）に提案されている。
【０００７】
引用発明は、図１に示すように、デッキ１０の両端にそれぞれ結合する発光手段２０を備えて光を発するので、利用者の位置を把握することができて安全性が向上するという利点がある。ところが、引用発明は、上記発光手段２０がデッキ１０に着脱可能に設けられるものではなく、上記発光手段２０がデッキ１０に接着結合されるものなので、上記発光手段２０の故障の際にこれを取り替えることができないという問題点がある。
【先行技術文献】
【特許文献】
【０００８】
【特許文献１】韓国登録実用新案第２０−０２８０２２８号公報
【発明の概要】
【発明が解決しようとする課題】
【０００９】
本発明は、上述したような問題点を解決するためになされたもので、その目的は、複数の板が積層されているデッキにおける一部の板の取替えが可能であって利用者の個性を表現することができるのはもとより、破損の際に修理が容易であり、内蔵されているＬＥＤの取替えも容易であるスノーボードを提供することである。
【課題を解決するための手段】
【００１０】
上記の目的を達成するために、本発明のスノーボードは、板状の有効エッジ部１００と、前記有効エッジ部１００の両端から延び、斜め上方に向けて傾斜するように設けられた末端部２００とを含んで本体Ａを構成し、前記本体Ａは、ＬＥＤ５０が内蔵され、少なくとも一つの透明素材板を含む複数の板が積層結合されて形成され、前記複数の板は互いに結合および分離が可能であって、板またはＬＥＤ５０を容易に取り替えることができ、前記末端部２００の内部には発光効果のための空間Ｓが設けられることを特徴とする。
【発明の効果】
【００１１】
本発明によれば、本体を構成する複数の板は互いに結合および分離が可能であるので、利用者がスノーボードを利用する途中で上記本体の一部が破損した場合、これを分離し、破損した板のみを取り替えることができるため、使用上便利であるうえ、費用負担が著しく減少する。これと共に、様々な模様と色相の最上板のみを購入して取り替えることができるので、利用者は自分の個性を様々に演出することができる。
【００１２】
また、上記本体にはＬＥＤが内蔵されており、向上した利用者の安全性および審美性を提供することができるうえ、上記本体内のＬＥＤが故障したとき或いはＬＥＤの色相を変更しようとするときに板を分離して内蔵ＬＥＤを容易に取り替えることができるという利点がある。
【図面の簡単な説明】
【００１３】
【図１】従来のスノーボードの構造を示す平面図である。
【図２】本発明に係るスノーボードの構造を示す斜視図である。
【図３】本発明に係るスノーボードの構造を示す分解斜視図である。
【図４】本発明に係るスノーボードに適用される凸凹構造を示す拡大図である。
【図５】本発明に係るスノーボードの結合構造を示す例示図である。
【図６】本発明に係るスノーボードの末端部に形成されるプラズマ発生部を示す例示図である。
【図７】本発明に係るスノーボードの末端部に形成される光拡散部を示す例示図である。
【図８】本発明に係るスノーボードの末端部に形成される光ファイバーを示す例示図である。
【図９】本発明に係るスノーボードの末端部の下面に形成される回転半球を示す例示図である。
【発明を実施するための形態】
【００１４】
本発明はスノーボードに関するものである。特に、本発明は、複数の板が積層されているデッキにおける一部の板の取替えが可能であって利用者の個性を表現することができるのはもとより、破損の際に修理が容易であり、内蔵されているＬＥＤの取替えも容易であるスノーボードを提案する。本発明のスノーボードは、板状の有効エッジ部１００と、上記有効エッジ部１００の両端から延び、斜め上方に向けて傾斜するように設けられた末端部２００とを含んで本体Ａを構成し、上記本体Ａは、ＬＥＤ５０が内蔵され、少なくとも一つの透明素材板を含む複数の板が積層結合されて形成されるが、上記複数の板は互いに結合および分離が可能であって、板またはＬＥＤ５０を容易に取り替えることができ、上記末端部２００の内部には発光効果のための空間Ｓが設けられることを特徴とする。
【００１５】
本発明の権利範囲は、以下で説明する実施例に限定されるものではなく、本発明の技術的要旨を外れない範囲内で、当該技術分野における通常の知識を有する者によって様々に変形実施できる。
【００１６】
以下に図２〜図９を参照しながら、本発明のスノーボードを詳細に説明する。
【００１７】
本発明のスノーボードは、図２に示すように、板状の有効エッジ部１００と、上記有効エッジ部１００の両端から延び、斜め上方に向けて傾斜するように設けられた末端部２００とを含んで本体Ａを構成する。上記本体Ａの形態は、スノーボード利用者の好み、例えばアルパインスタイル、フリースタイルなどに応じて変形できるのはもちろんである。
【００１８】
上記有効エッジ部１００は、利用者が足を装着させてスノーボーディングを楽しむ場合、実質的に雪が積もった地面との摩擦を起こす部分を意味する。よって、有効エッジ部１００の上面には、図２に示すように、ブーツがセットされるビンディングを固定するビンディング固定部１１０が設けられる。
【００１９】
利用者はブーツを着用し、上記ビンディング固定部１１０にビンディングを固定した後、上記ブーツをビンディングで固定する。この際、上記ビンディング固定部１１０には、外郭に沿ってＬＥＤが内蔵され、加圧センサーが含まれ得るが、上記ビンディング固定部１１０に荷重が伝達されると、上記加圧センサーによって上記ＬＥＤが発光する。このような場合、審美感が向上するうえ、ブーツをビンディングにセットする際に夜間にも正確かつ迅速に締結することができる。
【００２０】
本発明において、上記本体Ａは、図３に示すように、複数の板が積層結合されて形成され、上記複数の板は、互いに対応して結合される面に、複数の突起と複数の溝からなる凸凹構造が形成される。よって、複数の板は、上記凸凹構造によって互いに分離可能に結合できるので、上記本体Ａを構成する複数の板のうち一部の板が破損した場合、破損した板のみを分離して取替えが可能であり、利用者が自分の個性を様々に演出するために、一例として様々な形状と色相の最上板のみを購入して取替えが可能である。よって、使用上便利であり、費用負担も著しく減少する。
【００２１】
上記凸凹構造をなす複数の突起および溝は、その個数は特に限定されないが、隙間なく形成されて結合力を向上させることが好ましい。また、一面には突起が設けられ、その一面に結合する他方の一面には溝が設けられてもよいが、図３および図４に示すように、一面および該一面に結合する他方の一面に突起および溝がすべて設けられ、突起と溝が交互に反復して設けられることにより、結合力を一層向上させることもできる。
【００２２】
また、上記本体Ａをなす複数の板のうち、雪面に接する最下板の縁部には、図５に示すように、結合枠３１が上方に突き出た状態に設けられる。よって、最下板を除いた残りの板は、上記最下板に収容された形で取り囲まれて結合されることになる。本発明は、前述したように、凸凹構造によって複数の板が結合および分離されるので、上記結合枠３１を用いて図５に示すように複数の板を結合することにより、上記本体Ａの縁部分の結合力が弱くて本発明の利用途中で複数の板が分離されることを防止する。
【００２３】
一方、上記本体ＡにはＬＥＤ５０が内蔵されるので、夜間にも利用者を容易に識別することが可能であって安全性を確保することができるうえ、上記ＬＥＤ５０を複数備えて利用者の所望する形で配置することにより、審美性を向上させることができる。この際、上記本体Ａの内部には、上記ＬＥＤ５０に電源を供給する電源部、および上記ＬＥＤ５０を制御する制御部が含まれる。
【００２４】
上記本体Ａは複数の板から構成されているが、少なくとも一つの板には上記ＬＥＤ５０を設置するための溝が設けられており、上記複数の板は、前述したように、凸凹構造によって互いに分離可能に結合できるから、上記ＬＥＤ５０が故障したとき或いは色相を変更しようとするときには上記ＬＥＤ５０が設置された板を分離して上記ＬＥＤ５０を容易に取り替えることができる。
【００２５】
また、上記複数の板のうち少なくとも一つの板は、透明素材からなり、上記ＬＥＤ５０から発生した光が外部に露出する。この際、複数の板の全てを透明素材とし或いは複数の板の一部を透明素材とすることにより、利用者の所望する方向に光が発光するように調節することもできる。
【００２６】
一例として、図５に示すように、上記本体Ａが上板１０、中板２０および下板３０からなり、上記中板２０にＬＥＤ５０が設置され、上記下板３０の縁部に結合枠３１が突き出た状態に設けられている場合、ＬＥＤ５０から発生した光が外部に露出するためには少なくとも上記中板２０および上記結合枠３１の一部が透明素材からならなければならない。
【００２７】
また、上記ＬＥＤ５０から発生した光は、前述した上記凸凹構造をなす複数の突起と複数の溝によって乱反射されるが、この際、複数の突起および溝の形状を様々な形状、たとえば円形、多角形などにすることにより、発光する光の量または方向を調節することができる。
【００２８】
図示してはいないが、上記本体Ａの内部にはＬＥＤを含むシリコン材質のＰＣＢ基板が内蔵され、上記本体Ａを全て透明素材とすることにより、上記ＬＥＤから発生した光は、上記シリコン材質のＰＣＢ基板を透過して上記本体Ａ全体を発光させることもできる。
【００２９】
一方、上記本体Ａには速度感知センサーなどの各種センサーがさらに含まれ得るので、上記速度感知センサーなどを介して、上記ＬＥＤ５０が発光する方向または明るさを変化させることができる。一例として、利用者が上記本体Ａを着用して立ったままの状態である場合には上記ＬＥＤ５０がゆっくり回転発光し、利用者が上記本体Ａを着用してスノーボーディングを楽しむ場合にはスノーボーディング速度に応じてＬＥＤの回転発光する速度が変化するようにすることができる。また、上記本体Ａの進行方向と同一の方向またはその反対方向にＬＥＤ５０が順次点灯するようにすることができるのはもとより、スノーボーディング速度に応じて上記ＬＥＤ５０の明るさが調節されるようにすることもできる。
【００３０】
上記本体Ａをなす複数の板は、それぞれが木材や合成樹脂などの異なる素材から構成できるのはもとより、様々な素材が混合されて構成されることも可能である。一例として、紙またはガラスを基材（ｂａｓｅ  ｍａｔｅｒｉａｌ）とする熱硬化性樹脂からなる板が使用できる。このような場合、絶縁抵抗や誘電率などの電気的特性、および耐熱性や耐燃性、耐アルカリ性、防湿性、機械的強度などの物理化学的特性に優れるうえ、加工を容易に行うことができるという効果を得ることができる。
【００３１】
また、図３および図５に示すように、上記本体Ａの内部に補強フレームワーク４０が備えられてもよいが、上記補強フレームワーク４０は、利用者が本発明を使用する際に上記本体Ａが撓んだり破損したりすることを防止する。上記補強フレームワーク４０は、木材や合成樹脂などから構成できる。特に、軽くて耐久性に優れるジュラルミン（Ｄｕｒａｌｕｍｉｎ）素材から構成できる。上記ジュラルミン素材からなる補強フレームワーク４０を上記本体Ａの内部に形成する場合、上記本体Ａをなす板の個数を減らすことができる。
【００３２】
一方、上記補強フレームワーク４０は、上記本体Ａをなす複数の板のうち少なくとも一つの板に形成できる。上記補強フレームワーク４０が形成された板には、上記補強フレームワーク４０が設置された部分を除いた残りの部分に、他の板との結合のための複数の突起および溝からなる凸凹構造が形成される。
【００３３】
また、上記補強フレームワーク４０は、様々な形態で形成できる。図３に示すように、上記補強フレームワーク４０は、設置される板の内側縁部に沿って形成され、地面との接触が最も多い上記本体Ａの縁部の耐久性を向上させるとともに、利用者の荷重が最も多く伝達される有効エッジ部１００に長手方向および該長手方向と直交する方向に形成され、上記本体Ａ全体の耐久性を向上させる。
【００３４】
たとえば、上記本体Ａが図３および図５に示すように上板１０、中板２０および下板３０からなる場合、上記補強フレームワーク４０を上記中板２０に形成する方が、利用者の荷重に最もよく耐えるうえ、地面との摩擦から上記本体Ａの破損を防止することができる。よって、上記補強フレームワーク４０は、上記中板２０の内側縁部に沿って形成され、上記中板２０の有効エッジ部１００に長手方向および該長手方向と直交する方向に形成される。この際、長手方向とは、両末端部２００が形成された方向を意味する。
【００３５】
上記一例における中板２０の構造について考察すると、上記中板２０は、基本的に合成樹脂からなり、上部には上記補強フレームワーク４０が嵌合されるように取付溝が設けられる。ＬＥＤ５０が設置される場合、ＬＥＤ５０は、上記取付溝と上記中板２０の縁部との間に設置される。また、中板２０は、補強フレームワーク４０およびＬＥＤ５０が設置される部分を除いては上板１０との結合のための凸凹構造が形成され、上記中板２０の下面には下板３０との結合のための凸凹構造が形成されることが好ましい。一方、図示してはいないが、外部の衝撃から回路素材などを保護するために、上記中板２０に電源部、制御部などが設置されることが好ましい。このような構造は、補強フレームワーク４０が含まれる板の構造を説明するための一例に過ぎず、これに限定されるものではない。
【００３６】
本発明では、審美性および利用者の個性を表現するために、上記末端部２００に光を発生させることができるように様々な形態で形成できる。たとえば、中板２０の末端部に空間Ｓが設けられて発光装置が備えられ、上板１０および下板３０が覆われることにより、様々な発光効果を出すことができるようにする。以下では、発光効果による様々な実施例について説明する。
【００３７】
［実施例１］
図６に示すように、上記末端部２００の空間Ｓにプラズマ発生部２１０が形成できる。上記プラズマ発生部２１０は、高電圧が印加されてプラズマが発生するプラズマ発生器２１１と、上記プラズマ発生器２１１から発生したプラズマが到達される避雷針２１２とを含んでなる。この際、プラズマ発生部２１０は、内部を真空状態に密閉した後、少量の気体を注入させるが、注入させる気体によって光の色相が変わる。
【００３８】
［実施例２］
図７に示すように、上記末端部２００の空間Ｓに光拡散部２２０が形成できる。上記光拡散部２２０は、複数のＬＥＤ２２１と、多角形に形成されて配列された複数の反射具２２２とを含んで構成される。上記ＬＥＤ２２１から発生した光は、上記反射具２２２に到達した後、乱反射されて様々な方向に光を発光させる。また、上記反射具２２２は、図７に示すように、六角形の形状をすることができるが、これに限定されない。複数の反射具２２２が規則的または不規則的に配列されることも可能である。
【００３９】
［実施例３］
図８に示すように、上記末端部２００の空間Ｓに複数の光ファイバー２３０が含まれ得る。上記光ファイバー２３０に電源を印加することにより、光が発生する。よって、利用者は、自分の所望する形状に複数の光ファイバー２３０を配置させて自分の個性を演出することができる。
【００４０】
前述した実施例のように、光を発生させる様々な形態を上記末端部に形成する場合、外部へ光が発光するように透明素材で密閉することが好ましく、上記本体Ａにスピーカなどが備えられ、光発生の際に雷の音などの効果音を発生させることもできる。また、速度感知センサーなどによって、速度に応じて光の明るさなどを調節することもできる。
【００４１】
一方、上記末端部２００の下面には、図９に示すように、下方に膨らむように回転半球２４０が突き出た状態に設けられる。利用者は立ったままの状態または上記本体Ａを進行させている途中で上記末端部２００に重心を移動させ、上記回転半球２４０を軸として上記本体Ａを回転させることができる。よって、利用者は、スノーボードを利用するときに楽しみを感じることができる。また、上記回転半球２４０にはＬＥＤが内蔵できる。本発明のスノーボードを用いてジャンプするとき、上記回転半球２４０に内蔵されたＬＥＤが点灯することにより、夜間にも着地地点を正確に把握することができるうえ、審美感を向上させることができる。
【図１】
2015528735.tif 000003
【図２】
2015528735.tif 000004
【図３】
2015528735.tif 000005
【図４】
2015528735.tif 000006
【図５】
2015528735.tif 000007
【図６】
2015528735.tif 000008
【図７】
2015528735.tif 000009
【図８】
2015528735.tif 000010
【図９（ａ）】
2015528735.tif 000011
【図９（ｂ）】
2015528735.tif 000012
【国際調査報告】
2015528735.tif 000013
2015528735.tif 000014
2015528735.tif 000015
2015528735.tif 000016